(57)【特許請求の範囲】
【請求項１】
かご室を構成する複数のカーパネルであって、両端がかご室の外側へ折曲された折曲部と、この両端の折曲部に交互かつ等間隔に設けられた係合孔および係合突起部材とを備え、一端側の折曲部の係合孔および係合突起部材の位置と、他端側の折曲部の係合突起部材および係合孔の位置とを互い違いにし、一つのカーパネルの一端側の係合孔および係合突起部材と、別のカーパネルの他端側の係合突起部材および係合孔とを相互に係合可能としたことを特徴とするエレベーターのカーパネル。
【発明の詳細な説明】
【０００１】
【産業上の利用分野】
本発明は、エレベーターのかご室を構成する複数のカーパネルに関する。
【０００２】
【従来の技術】
従来のエレベーターのかご室は、プラットフォームの上に複数のカーパネルを立設し、この立設されたカーパネルの上に天井を設けている。カーパネルの左右両端はかご室外側へ折り曲げられており、この折曲部同士をボルト、ナット等によって接合して、カーパネルを組立てている。
【０００３】
【発明が解決しようとする課題】
このような従来のエレベーターのかご室のカーパネルにあっては、かご室の外側に折曲された左右両端をボルト・ナット等でいちいち締め付けて接合していたために、組立時間がかかるという問題点があった。また、かご室の外側の狭い昇降路内で組立作業を行わなければならないために、この組立作業はやりずらいという問題点もあった。
【０００４】
本発明は、組立作業が迅速に行え、また組立作業がやりやすいカーパネルを提供することを目的とする。
【０００５】
【課題を解決するための手段】
このような目的を達成するために、本発明にあっては、かご室を構成する複数のカーパネルであって、両端がかご室の外側へ折曲された折曲部と、この両端の折曲部に交互かつ等間隔に設けられた係合孔および係合突起部材とを備え、一端側の折曲部の係合孔および係合突起部材の位置と、他端側の折曲部の係合突起部材および係合孔の位置とを互い違いにし、一つのカーパネルの一端側の係合孔および係合突起部材と、別のカーパネルの他端側の係合突起部材および係合孔とを相互に係合可能とした構成としている。
【０００６】
【作用】
カーパネルを組立てるには、プラットフォームの側端にボルトを仮り止めしておく。作業者がプラットフォームに乗った状態で、前記ボルトには一つのカーパネルを合わせて、このカーパネルをプラットフォームに対して垂直に位置決めする。次に、位置決めされたカーパネルに別のカーパネルを隣接させながら、この別のカーパネルの係合突起部材を一つのカーパネルの係合孔に挿入させるとともに、一つのカーパネルの係合突起部材を別のカーパネルの係合孔に挿入させる。このようにして、一つのカーパネルの折曲部に別のカーパネルの折曲部を合わせながら別のカーパネルを下方に摺動させ、前記仮止めされたボルトに合わせる。
【０００７】
【実施例】
以下、本発明を図面に基づいて説明する。図１ないし図６は本発明に係るエレベーターのカーパネルの一実施例を示す図である。
【０００８】
図１において、符号１，２はプラットフォーム３の上に立設される複数のカーパネルである。図２に示すように、このカーパネル１は鋼板製で全体が縦長の長方形状となっており、この左右両端は断面略コの字型に折曲された折曲部４，５となっている。折曲部４，５はカーパネルの表面に対して直角な平面状となっており、図３に示すように左端側の折曲部４にはそれぞれ係合孔６と係合突起部材７が設けられている。また、図４に示すように右端側の折曲部５にも係合突起部材８と係合孔９が設けられている。
【０００９】
係合孔９は図１に示すように互いに離れて位置する２個の挿通孔部９ａ，９ｂと、この挿通孔部９ａ，９ｂを結ぶようにして切欠され、挿通孔部９ａ，９ｂの径よりも小さい幅のスリット部９ｃとからなっている。
【００１０】
係合突起部材８は、図５に示すように折曲部５に固定される後半分部８ａとこの折曲部５から突出する前半分部８ｂとからなっている。前半分部８ｂは前記挿通孔部９ａ，９ｂの径より小さく、かつスリット部９ｃの幅より大きくなっている。また、前半分部８ｂは、スリット部９ｃの幅より小さい頸部分８ｃを有し、この頸部分８ｃに隣接するテーパ部分８ｄを有している。
【００１１】
係合孔６，９と係合突起部材７，８とは両端の折曲部４，５に交互かつ等間隔に設けられている。また、左端側の折曲部４に設けられた係合孔６および係合突起部材７の位置と、右端側の折曲部５に設けられた係合突起部材８および係合孔９の位置とは互い違いになっている。
【００１２】
カーパネル１の上下両端側には複数の切欠部１０，１１がそれぞれ形成され、また下端側の切欠部１１の方には案内弧部分が形成されている。
【００１３】
カーパネルを組立てるには、図１に示すようにプラットフォーム３の側端３ａにボルト１２を仮り止めしておく。作業者がプラットフォーム３に乗った状態で、ボルト１２にはカーパネル１の切欠部１１を合わせて、このカーパネル１をプラットフォーム３に対して垂直に位置決めする。
【００１４】
次に、位置決めされたカーパネル１に別のカーパネル２を隣接させながら、この係合突起部材１３を係合孔９の挿通孔部９ａに挿入させるとともに、係合突起部材８を係合孔１４の挿入孔１４ａに挿入させる。
【００１５】
このようにして、カーパネル１の折曲部５にカーパネル２の折曲部１５を合わせながらカーパネル２を下方に摺動させ、仮止めされたボルト１２に切欠部１８を合わせる。そうすると、カーパネル１とカーパネル２とはプラットフォーム３に対して同じ位置に並ぶことになる。
【００１６】
このとき、カーパネル１の係合突起部材８は係合孔１４のスリット部１４ｂに位置し、またカーパネル２の係合突起部材１３は係合孔９のスリット部９ｃに位置して接合され、カーパネル１とカーパネル２とは組立てられることになる。このように、プラットフォーム３に乗ったまま、カーパネル１にカーパネル２を隣接させながら摺動させるだけで、迅速に組立てることができる。
【００１７】
次に、図６に示すようにボルト１２を締付けて、カーパネル１をプラットフォーム３に固定する。次に、カーパネル１の切欠部１０に天井１６に仮止めされたボルト１７を合わせ、次にこのボルト１７を締付けてカーパネル１に天井１６を固定する。
【００１８】
【発明の効果】
以上説明したように、本発明によれば、カーパネルの一端側折曲部の係合孔および係合突部の位置と、他端側の折曲部の係合突部および係合孔の位置とを互い違いにし、一つのカーパネルの一端側の係合孔および係合突部と、別のカーパネルの他端側の係合突部および係合孔とを相互に係合可能としたので、カーパネルの組立作業は迅速に行うことができ、またこの組立作業はプラットフォームに乗った状態で行えるのでやりやすい。
【図面の簡単な説明】
【図１】本発明に係るエレベーターのカーパネルの一実施例を示す斜視図。
【図２】このカーパネルの正面図。
【図３】このカーパネルの左側面図。
【図４】このカーパネルの右側面図。
【図５】係合突起部材の側面図。
【図６】このカーパネルの断面図。
【符号の説明】
１，２…カーパネル
３…プラットフォーム
４，５…折曲部
８…係合突起部材
９…係合孔
【図１】
0003652404.tif 000002
【図２】
0003652404.tif 000003
【図３】
0003652404.tif 000004
【図４】
0003652404.tif 000005
【図５】
0003652404.tif 000006
【図６】
0003652404.tif 000007